(57)【要約】【課題】外径を細く構成することができ、しかも螺旋管と口金との固着強度不足が発生しない、品質の安定した内視鏡の可撓管を提供すること。【解決手段】口金１０の両端部のうち螺旋管１１，１２側の端部に、内側の螺旋管１１の端部が嵌挿される座繰り状孔１０ａが形成されて、その座繰り状孔１０ａに内側の螺旋管１１の端部が嵌挿されると共に、外側の螺旋管１２の端面が口金１０の端面に当接され、外側の螺旋管１２と口金１０とが、その付き当て部であってその内側に内側の螺旋管１１が存する位置のみにおいて溶接（Ｌｏ）、固着されている。【選択図】      図１
2011036576.tif 000002
【特許請求の範囲】
【請求項１】
巻き方向が相違する金属製の内外二重の螺旋管が内層部分に配置されて、略円筒形状の金属製の口金に上記内外二重の螺旋管の端部が各々溶接で固着された構造の内視鏡の可撓管において、
上記口金の両端部のうち上記螺旋管側の端部に、内側の螺旋管の端部が嵌挿される座繰り状孔が形成されて、その座繰り状孔に上記内側の螺旋管の端部が嵌挿されると共に、外側の螺旋管の端面が上記口金の端面に当接され、上記外側の螺旋管と上記口金とが、その付き当て部であってその内側に上記内側の螺旋管が存する位置のみにおいて溶接、固着されていることを特徴とする内視鏡の可撓管。
【請求項２】
上記内側の螺旋管と上記口金とが、上記内側の螺旋管の端部が上記座繰り状孔に差し込まれた状態で上記口金の外周面側から溶接、固着されている請求項１記載の内視鏡の可撓管。
【請求項３】
上記口金の内外径が上記内外二重の螺旋管の内外径と略同寸法である請求項１又は２記載の内視鏡の可撓管。
【発明の詳細な説明】
【技術分野】
【０００１】
この発明は、内視鏡の可撓管に関する。
【背景技術】
【０００２】
内視鏡の挿入部等を外装する可撓管は一般に、巻き方向が相違する金属製の内外二重の螺旋管が内層部分に配置されて、その螺旋管の端部が口金に固着され、中層には網状管が螺旋管の外面に被覆された状態に配置され、外層は可撓性の外皮で形成されている（例えば特許文献１）。
【先行技術文献】
【特許文献】
【０００３】
【特許文献１】特開２００７−２５２５６０
【発明の概要】
【発明が解決しようとする課題】
【０００４】
例えば図６に示されるように、特許文献１に記載されているような旧来の内視鏡の可撓管１の端部は、口金９０の端部に形成された座繰り状孔９９内に内外二重の螺旋管９１，９２の端部と網状管９３の端部とが差し込まれて、それらが一まとめに固着されていた。そのため、口金９０部分の外径が太くなってしまい、細径内視鏡等において可撓管１を細く形成する妨げになっていた。２は、遠隔操作によって屈曲する湾曲部である。
【０００５】
そこで、例えば図７に示されるように、内外二重の螺旋管９１，９２の端面を各々口金９０に当接させてレーザ溶接等でそこに固着し、網状管９３は口金９０の外面に固着する構成を採れば、その部分の外径を従前より細く形成することができる。そのような構成について、本件の出願人はすでに特許出願をしてある（特願２００８−１１４９６０）。
【０００６】
しかし、そのように構成すると、例えば図８に示されるように、まず内側螺旋管９１を口金９０にレーザ溶接する際に、内側螺旋管９１の端面と口金９０の端面との間に僅かでも隙間があると、レーザビームＬｉがその隙間から抜けてしまって溶接状態が不十分なものになり、固着強度不足が発生するおそれがある。
【０００７】
本発明は、外径を細く構成することができ、しかも螺旋管と口金との固着強度不足が発生しない、品質の安定した内視鏡の可撓管を提供することを目的とする。
【課題を解決するための手段】
【０００８】
上記の目的を達成するため、本発明の内視鏡の可撓管は、巻き方向が相違する金属製の内外二重の螺旋管が内層部分に配置されて、略円筒形状の金属製の口金に内外二重の螺旋管の端部が各々溶接で固着された構造の内視鏡の可撓管において、口金の両端部のうち螺旋管側の端部に、内側の螺旋管の端部が嵌挿される座繰り状孔が形成されて、その座繰り状孔に内側の螺旋管の端部が嵌挿されると共に、外側の螺旋管の端面が口金の端面に当接され、外側の螺旋管と口金とが、その付き当て部であってその内側に内側の螺旋管が存する位置のみにおいて溶接、固着されているものである。
【０００９】
なお、内側の螺旋管と口金とが、内側の螺旋管の端部が座繰り状孔に差し込まれた状態で口金の外周面側から溶接、固着されていてもよく、口金の内外径が内外二重の螺旋管の内外径と略同寸法であってもよい。
【発明の効果】
【００１０】
本発明によれば、口金の両端部のうち螺旋管側の端部に形成された座繰り状孔に内側の螺旋管の端部が嵌挿されると共に、外側の螺旋管の端面が口金の端面に当接され、外側の螺旋管と口金とが、その付き当て部であってその内側に内側の螺旋管が存する位置のみにおいて溶接、固着されていることにより、外径を細く構成することができ、しかも螺旋管と口金との固着強度不足が発生しない安定した品質の内視鏡の可撓管を得ることができる。
【図面の簡単な説明】
【００１１】
【図１】本発明の実施例に係る内視鏡の可撓管の一部分の側面断面図である。
【図２】内視鏡の全体構成の一例を示す側面図である。
【図３】本発明の実施例に係る内視鏡の可撓管に用いられる螺旋管の斜視図である。
【図４】本発明の実施例に係る内視鏡の可撓管の製造工程における側面断面図である。
【図５】本発明の実施例に係る内視鏡の可撓管の製造工程における側面断面図である。
【図６】旧来の内視鏡の可撓管の一部分の側面断面図である。
【図７】従来の内視鏡の可撓管の一部分の側面断面図である。
【図８】従来の内視鏡の可撓管の製造工程における側面断面図である。
【発明を実施するための形態】
【００１２】
以下、図面を参照して本発明の実施例を説明する。
図２は内視鏡の全体構成の一例を示しており、体内に挿入される挿入部は、可撓管１の先端に湾曲部２が直列に連結され、観察窓等が配置された先端部本体３が湾曲部２の先端に取り付けられて構成されている。
【００１３】
可撓管１は、挿入される体内管路等に沿って自在に屈曲するが、湾曲部２は、可撓管１の基端に連結された操作部４からの遠隔操作により、所定の方向に任意の角度だけ湾曲させることができる。
【００１４】
湾曲部２の先端部分に連結された湾曲操作ワイヤ５が、可撓管１内に挿通配置されている。湾曲操作ワイヤ５は、操作部４に配置された湾曲操作ノブ６によって進退操作され、湾曲部２が、湾曲操作ワイヤ５の牽引量に対応する角度だけ二点鎖線で図示されるように屈曲する。
【００１５】
図１は、本発明の実施例に係る内視鏡の可撓管１と湾曲部２との連結部を示している。
湾曲部２は、複数の関節輪２１がリベット２２等で回動自在に連結されて、網状管２３がその外面に被覆され、網状管２３の外面に弾力性に富んだゴム製の被覆チューブ２４が被覆された構成になっている。
【００１６】
可撓管１は、金属細線を編組して形成された網状管１３が金属製の螺旋管１１，１２の外面に被覆されて、その網状管１３の外面に可撓性のある合成樹脂材からなる外皮１４が被覆された構成になっている。
【００１７】
螺旋管１１，１２は、図３に単体の状態が図示されるように、巻き方向が相違する内外二重の螺旋管１１，１２からなり、各螺旋管１１，１２が一定の幅の金属帯材を一定の径で螺旋状に巻いて形成されている。
【００１８】
図１に戻って、１０は、可撓管１の先端部分に設けられた金属製の口金である。口金１０の先端面には最後端の関節輪２１Ｅが付き当てられて溶接で連結固着され、それによって可撓管１と湾曲部２とが連結されている。
【００１９】
また、可撓管１内で湾曲操作ワイヤ５をガイドする密着巻きコイルからなるガイドコイル５０の先端側の側面が、口金１０又は最後端の関節輪２１Ｅの内周面に銀ロー付け等で固着されている。ガイドコイル５０のその他の部分は可撓管１内では固定されていない。
【００２０】
口金１０は、内外径が二重の螺旋管１１，１２の内外径と略同寸法の略円筒状に形成されている。ただし、口金１０の後端側（即ち、螺旋管１１，１２側の端部）の内周部は、部分的に内径が他の部分より大きい座繰り状孔１０ａになっている。
【００２１】
そして、その座繰り状孔１０ａに内側螺旋管１１の端部が嵌挿、固着されていて、外側螺旋管１２の先端面が、口金１０の後端面に当接されて、外側螺旋管１２と口金１０とが、その付き当て部で互いに固着されている。その結果、その部分における可撓管１の外径を細く形成することができる。
【００２２】
内側螺旋管１１と外側螺旋管１２は、口金１０に個別にレーザ溶接で固着されている。図１に示されるＬｉ，Ｌｏがそのレーザ溶接が行われる際のレーザビームを示している。ただし、レーザビームＬｉ，Ｌｏの照射は網状管１３や外皮１４が組み付けられる前に行われる。
【００２３】
図４は、内側螺旋管１１が口金１０にレーザ溶接される際の状態を示しており、内側螺旋管１１の端部が座繰り状孔１０ａに嵌挿された状態で口金１０の外周面側からレーザビームＬｉが照射されることにより、内側螺旋管１１と口金１０とをエネルギーロスなく強固に溶接、固着することができる。
【００２４】
図５は、外側螺旋管１２が口金１０にレーザ溶接される際の状態を示しており、外側螺旋管１２の先端面と口金１０の後端面との付き当て部に、レーザビームＬｏが外方から照射されている。
【００２５】
なお、それより前に、内側螺旋管１１が口金１０に溶接、固着されているので、外側螺旋管１２と口金１０とを溶接する際のレーザビームＬｏの照射位置の内側に内側螺旋管１１が存在している。
【００２６】
したがって、外側螺旋管１２の先端面と口金１０の後端面との間に多少の隙間があっても、レーザビームＬｏは内側螺旋管１１に当たってはね返され、内側螺旋管１１とそれに隣接する外側螺旋管１２と口金１０とが一体に溶接されるので、外側螺旋管１２と口金１０とをエネルギーロスなく強固に溶接、固着することができる。
【００２７】
ただし、螺旋状に巻かれている内側螺旋管１１は、場所によっては口金１０の後端面の内側位置に存していない。そこで、内側螺旋管１１が口金１０の後端面の内側位置に存する部分のみにレーザビームＬｏが照射されて外側螺旋管１２が口金１０に溶接、固着されている。
【００２８】
図１に戻って、そのようにして端部が口金１０に固着された内外二重の螺旋管１１，１２の外周に網状管１３が被覆されて、網状管１３の端部が口金１０と外側螺旋管１２の外周面に半田付けで固着され、網状管１３の外周に押し出し成形等の手段で外皮１４が被覆されている。
【００２９】
そして、可撓管１の外皮１４の端部と湾曲部２の被覆チューブ２４の端部は、各々緊縛糸１５，２５で外周からきつく緊縛固定されて、その緊縛糸１５，２５を包むように接着剤Ｑが全周に塗布されている。
【符号の説明】
【００３０】
１  可撓管
１０  口金
１０ａ  座繰り状孔
１１  内側螺旋管（内側の螺旋管）
１２  外側螺旋管（外側の螺旋管）
Ｌｉ，Ｌｏ  レーザビーム
【図１】
2011036576.tif 000003
【図２】
2011036576.tif 000004
【図３】
2011036576.tif 000005
【図４】
2011036576.tif 000006
【図５】
2011036576.tif 000007
【図６】
2011036576.tif 000008
【図７】
2011036576.tif 000009
【図８】
2011036576.tif 000010